(57)【特許請求の範囲】
【請求項１】
運転のオンオフを行う運転スイッチと、タイマー運転の設定を行うタイマー運転スイッチと、タイマー運転のタイマー運転開始時刻の設定を行うタイマー時刻設定スイッチと、時計部と、記憶部と、報知手段と、制御部とを備え、前記記憶部は、設定されたタイマー運転開始時刻と前回のタイマー運転が実施されたタイマー運転実行時刻とを記憶し、運転停止状態で運転スイッチをオンしてからこのタイマー運転スイッチをオンすると、予め設定されている運転開始時刻になると暖房運転を開始するタイマー運転が設定される暖房機器に於いて、前記制御部は、タイマー運転を実行してから所定時間経過するまで再度タイマー運転が実行されなかった時、記憶部に記憶されているタイマー運転実行時刻を消去すると共に、運転スイッチがオフ操作されて運転を停止する時、記憶部にタイマー運転実行時刻が記憶されているかを確認し、記憶部にタイマー運転実行時刻が記憶されていると、記憶部に記憶されているタイマー運転開始時刻と時計部で計時している現在時刻とを比較し、記憶されているタイマー運転開始時刻が現在時刻から所定時間後の範囲である時、報知手段にてタイマー運転の設定忘れを報知することを特徴とする暖房機器。
【発明の詳細な説明】
【技術分野】
【０００１】
この発明は、任意の所定時刻に運転を開始させるタイマー運転機能を有した暖房機器に関するものである。
【背景技術】
【０００２】
従来からこの種のものに於いては、タイマー運転スイッチをオンしてタイマー運転を設定する場合、運転中もしくは運転停止状態で運転スイッチをオンしてからタイマー運転スイッチをオンしないと、タイマー運転の設定を受け付けないものであった。
【０００３】
そして運転中にタイマー運転スイッチをオンすると、就寝前の室内の酸欠やＣＯ中毒等を防止するという安全対策上、暖房機器の燃焼運転が自動的に停止するものであった。（例えば、特許文献１参照。）
【先行技術文献】
【特許文献】
【０００４】
【特許文献１】特開平０９−４２６６３号公報
【発明の概要】
【発明が解決しようとする課題】
【０００５】
ところでこの従来のものでは、運転停止状態でタイマー運転スイッチをオンしてもタイマー運転を設定できないが、タイマー運転スイッチをオンした時点でタイマー運転を設定したと思い込んで結局タイマー運転が実施されなかったり、運転中に運転スイッチをオフしてそのままタイマー運転を設定し忘れて、結局タイマー運転が実施されなかったりすることがあった。
【課題を解決するための手段】
【０００６】
上記課題を解決するために、本発明の請求項１では、運転のオンオフを行う運転スイッチと、タイマー運転の設定を行うタイマー運転スイッチと、タイマー運転のタイマー運転開始時刻の設定を行うタイマー時刻設定スイッチと、時計部と、記憶部と、報知手段と、制御部とを備え、前記記憶部は、設定されたタイマー運転開始時刻と前回のタイマー運転が実施されたタイマー運転実行時刻とを記憶し、運転停止状態で運転スイッチをオンしてからこのタイマー運転スイッチをオンすると、予め設定されている運転開始時刻になると暖房運転を開始するタイマー運転が設定される暖房機器に於いて、前記制御部は、タイマー運転を実行してから所定時間経過するまで再度タイマー運転が実行されなかった時、記憶部に記憶されているタイマー運転実行時刻を消去すると共に、運転スイッチがオフ操作されて運転を停止する時、記憶部にタイマー運転実行時刻が記憶されているかを確認し、記憶部にタイマー運転実行時刻が記憶されていると、記憶部に記憶されているタイマー運転開始時刻と時計部で計時している現在時刻とを比較し、記憶されているタイマー運転開始時刻が現在時刻から所定時間後の範囲である時、報知手段にてタイマー運転の設定忘れを報知するものである。
【発明の効果】
【０００９】
この発明の請求項１によれば、タイマー運転を実行してから所定時間経過するまで再度タイマー運転が実行されなかった時、記憶部に記憶されているタイマー運転実行時刻を消去し、前記記憶部にタイマー運転実行時刻が記憶されていない時はタイマー運転の設定忘れを報知しないので、記憶部にタイマー運転実行時刻が記憶されていれば、前日タイマー運転を実行したと判断し、記憶部にタイマー運転実行時刻が記憶されていなければ、少なくとも前日タイマー運転を実行していないと判断し、記憶部にタイマー運転実行時刻が記憶されていない場合は、報知手段によりタイマー運転の設定忘れを喚起しないので、タイマー運転をほとんど使用しない場合には不要なタイマー運転の設定忘れを喚起せず、使用者に何の注意喚起なのかというような余計な疑問を抱かせるのを防止できるものである。
【００１０】
また、運転スイッチがオフ操作されて運転を停止する時、記憶部に記憶されているタイマー運転実行時刻と時計部で計時している現在時刻とを比較し、記憶されているタイマー運転実行時刻が現在時刻から所定時間前の範囲である時、更に記憶部に記憶されているタイマー運転開始時刻と時計部で計時している現在時刻とを比較し、記憶されているタイマー運転開始時刻が現在時刻から所定時間後の範囲である時、報知手段にてタイマー運転の設定忘れを報知するので、運転スイッチをオフして運転停止状態にした時、記憶部に記憶されているタイマー運転開始時刻が現在時刻から所定時間後の範囲である時、就寝のために暖房運転を停止したと判断し、更に起床時に暖房運転を自動で開始するタイマー運転の設定忘れをしないように報知手段によりタイマー運転の設定忘れを喚起して、タイマー運転の設定忘れを防止できるものである。
【図面の簡単な説明】
【００１２】
【図１】この発明の一実施形態の暖房機器のブロック図。
【図２】同タイマー運転時の動作を示すフローチャート図。
【図３】同運転スイッチオフ後の動作を示すフローチャート図。
【発明を実施するための形態】
【００１３】
次に、本発明の暖房機器の一実施形態を図面に基づき説明する。
１は押圧されることでオンし再び押圧されるまでこの状態を保持し、再び押圧されることでオフするロック式の運転スイッチで、オンすることで暖房機器の暖房運転が開始され、オフすることで暖房機器の暖房運転が停止するものである。
【００１４】
２は表示部で、設定温度や現在の室温、今の時刻やタイマー運転の運転開始時刻等表示するものである。
【００１５】
３はタイマー運転スイッチで、通常の暖房運転中にタイマー運転スイッチ３をオンするか、もしくは運転停止状態で運転スイッチ１をオンしてからこのタイマー運転スイッチ３をオンすると、予め設定されている運転開始時刻になると暖房運転を開始するタイマー運転が設定されるものである。
【００１６】
４はタイマ時刻設定スイッチで、オンすることで表示部２がタイマー運転の運転開始時刻を表示し、その状態で更にタイマー時刻設定スイッチ４を操作することでタイマー運転開始時刻を変更することができるものである。
【００１７】
５は温度設定スイッチで、オンすることで表示部２が設定温度を表示し、その状態で更に温度設定スイッチ５を操作することで希望する室温を設定することができるものである。
【００１８】
６は報知手段で、光の点灯や点滅、音や音声により運転状態や異常発生、操作忘れの確認等行うものである。
【００１９】
７は時計部で、現在の時刻を計時するものであり、８は記憶部で、設定温度やタイマー運転開始時刻、タイマー運転が実際に行われたタイマー運転実行時刻等を記憶するものである。
【００２０】
９は燃焼部で、液体燃料を供給する電磁ポンプ（図示せず）、燃焼用空気を供給する燃焼対流ファン（図示せず）、前記電磁ポンプからの液体燃料を気化させ、これに燃焼対流ファンからの燃焼用空気を混合させ、この混合気を燃焼するバーナ部（図示せず）、燃焼後の燃焼ガスに空気を混合させて暖房機器から吹き出すための対流ファン（図示せず）、バーナ部での混合気を着火させる点火装置（図示せず）等を備えたものである。
【００２１】
１０は制御部で、運転スイッチ１がオンされると燃焼部９にて燃焼を開始して室温が設定温度になるように暖房運転を行い、又タイマー運転が設定されると燃焼停止状態にし、その後予め設定されているタイマー運転開始時刻になると燃焼部９にて燃焼を開始して室温が設定温度になるように暖房運転を行い、タイマー運転が開始されてから所定時間内に運転スイッチ１が操作されてタイマー運転が解除されないと、タイマー運転が開始されてから所定時間経過した時点で自動的に暖房運転を停止するものである。
【００２２】
次にタイマー運転の動作を説明する。
図２に示すように、まず通常の暖房運転中にタイマー運転スイッチ３がオンされるか、もしくは運転停止状態で運転スイッチ１をオンしてからタイマー運転スイッチ３がオンされることにより、タイマー運転が設定されたかを判断し（Ｓ１）、タイマー運転が設定されたと判断すると暖房運転が停止されている状態にする。（Ｓ２）
【００２３】
そして次にタイマー運転が設定された状態で運転スイッチ１がオンされたかを判断し（Ｓ３）、運転スイッチ１がオンされたと判断するとタイマー運転の設定を解除して（Ｓ４）、通常の暖房運転に移行する。（Ｓ１１）
【００２４】
又（Ｓ３）で運転スイッチ１がオンされない状態で時計部７で計時している現在時刻が記憶部８に記憶されているタイマー運転開始時刻になると（Ｓ５）、タイマー運転を開始する。（Ｓ６）
【００２５】
（Ｓ６）でタイマー運転が開始されると、制御部１０は燃焼部９にて燃焼を開始して室温が設定温度になるように暖房運転を行い、そしてタイマー運転が開始されたタイマー運転実行時刻を記憶部８に記憶させる。（Ｓ７）
【００２６】
そして次に制御部１０は、タイマー運転が開始されてから予め設定されている所定時間、例えばタイマー運転が開始されてから１時間経過した時刻になったかを判断し（Ｓ８）、タイマー運転が開始されてから予め設定されている所定時間経過した時刻になっていない時は、タイマー運転スイッチ３がオフされたかを判断し（Ｓ９）、タイマー運転スイッチ３がオフされたと判断した時は、タイマー運転を終了し（Ｓ１０）、通常の暖房運転に移行するものである。（Ｓ１１）
【００２７】
又（Ｓ８）で、タイマー運転が開始されてからタイマー運転スイッチ３がオフされずに予め設定されている所定時間経過した時刻になった時、制御部１０はタイマー運転を終了し（Ｓ１２）、燃焼部９を消火する。（Ｓ１３）
【００２８】
そして次に制御部１０は、時計部７で計時している現在時刻が記憶部８に記憶されているタイマー運転実行時刻から所定時間、例えばタイマー運転実行時刻から２４時間経過した時刻になったかを判断し（Ｓ１４）、タイマー運転実行時刻から２４時間経過した時刻になっていない時は、次にタイマー運転スイッチ３がオンされてタイマー運転が設定されたかを判断し（Ｓ１５）、それでタイマー運転が設定されれば（Ｓ２）に戻り、タイマー運転が設定され無ければ（Ｓ１４）に戻るものである。
【００２９】
又（Ｓ１４）で、時計部７で計時している現在時刻がタイマー運転実行時刻から２４時間経過した時刻になった時は、記憶部８に記憶されているタイマー運転実行時刻を消去して（Ｓ１６）、（Ｓ１）に戻るものである。
【００３０】
次に運転スイッチオフ後の動作を説明する。
図３に示すように、まず制御部１０は、運転スイッチ１がオフされたかを判断し（Ｓ１７）、運転スイッチ１がオフされたと判断した時は、消火動作を行い、暖房運転を終了する。（Ｓ１８）
そして次に制御部１０は、記憶部８にタイマー運転実行時刻が記憶されているかを確認し（Ｓ１９）、記憶部８にタイマー運転実行時刻が記憶されていれば前回のタイマー運転が所定時間内、つまりタイマー運転が今から２４時間前の間に行われたと判断して、更に記憶部８に記憶されているタイマー運転開始時刻が今から所定時間後の間、例えば今から１２時間後の間の時刻であるかを確認する。（Ｓ２０）
【００３１】
そして、制御部１０は記憶部８に記憶されているタイマー運転開始時刻が今から１２時間後の間の時刻であると判断すると、タイマー運転の設定忘れと判断して、報知手段６により、数回ブザー音を発したり、「タイマー運転を設定する場合は、タイマー運転スイッチ３をオンしてください。」と音声によるメッセージを発したり、タイマー運転スイッチ３を点滅させたりしてタイマー運転の設定忘れを防止するものである。（Ｓ２１）
【００３２】
そして、報知手段６によるタイマー運転の設定忘れを防止する報知が終了すると（Ｓ２２）、通常の運転停止状態にして（Ｓ２３）、そして（Ｓ１）へと進むものである。
尚、（Ｓ１９）で記憶部８にタイマー運転実行時刻が記憶されていない場合は、少なくとも前日はタイマー運転を実施していないので、タイマー運転の設定忘れはしていないと判断して（Ｓ２３）に進み、（Ｓ２０）で記憶部８に記憶されているタイマー運転開始時刻が今から１２時間後の間の時刻でない場合は、タイマー運転は起床時に既に部屋が暖まっているように使用されるのが大半であることから、まだタイマー運転の設定が必要ではないと判断して（Ｓ２３）に進むものである。
【００３３】
以上のようにタイマー運転を行うためにはその都度タイマー運転を設定しなければならないもので、更に単にタイマー運転スイッチ３をオンするだけではタイマーー運転を設定できず、暖房運転中、又は運転停止状態で運転スイッチ１をオンしてからタイマー運転スイッチ３をオンすることでタイマー運転を設定できる暖房機器に於いて、暖房運転中に運転スイッチ１をオフして運転停止状態にした時、記憶部８に記憶されているタイマー運転開始時刻が今から１２時間後の間の時刻である時、就寝のために暖房運転を停止したと判断し、更に起床時に暖房運転を自動で開始するタイマー運転の設定忘れをしないように報知手段６によりタイマー運転の設定忘れを喚起するので、タイマー運転の設定忘れを防止できるものである。
【００３４】
更に、タイマー運転を実行したタイマー運転実行時刻を記憶部８に２４時間記憶し、記憶してから２４時間を経過すると記憶していたタイマー運転実行時刻を消去するので、記憶部８にタイマー運転実行時刻が記憶されていれば、前日タイマー運転を実行したと判断し、記憶部８にタイマー運転実行時刻が記憶されていなければ、少なくとも前日タイマー運転を実行していないと判断し、記憶部８にタイマー運転実行時刻が記憶されていない場合は、報知手段６によりタイマー運転の設定忘れを喚起しないので、タイマー運転をほとんど使用しない場合には不要なタイマー運転の設定忘れを喚起せず、使用者に何の注意喚起なのかというような余計な疑問を抱かせるのを防止できるものである。
【００３５】
尚、タイマー運転開始時刻が設定されていない時は、報知手段６によるタイマー運転の設定忘れを喚起しないようにしてもよいものである。
【符号の説明】
【００３６】
１  運転スイッチ
３  タイマー運転スイッチ
４  タイマー時刻設定スイッチ
６  報知手段
７  時計部
８  記憶部
１０  制御部
【図１】
0005851853.tif 000002
【図２】
0005851853.tif 000003
【図３】
0005851853.tif 000004